(57)【要約】  【課題】  隣接する壁パネルどうしを視覚的にはっきりと区別できる深目地の形成を可能にする壁パネルの接続構造を提供する。  【解決手段】  壁パネル４の表面材１の端部１ａをその長手方向にわたって裏面材２側に向かって折り返した折返し片１ｂで芯材３の端面を覆う一方、目地ジョイナー７のパネル支持壁部１２の端部に折返し片掴み部１４を一体に形成し、この折返し片掴み部１４に設けた嵌合溝１３に壁パネル４の折返し片１ｂを嵌合するようにしてある。壁パネル４の端部４ａ及び該端部に露出する芯材３は折返し片１ｂ及び折返し片掴み部１４により覆われてシールされることにより雨水が壁パネル４の端部に浸入するのを防止できる。目地用空隙部６内に充填される目地シール材１７を利用して壁パネル４の端部をシールする従来の目地納まり構造のように目地シール材１７を壁パネル４の端部まで充填させなくて済み、目地深さを確保できる。深目地により隣接する壁パネル４，４どうしを視覚的にはっきりと区別できて変化に富み、建物の個性を引き立てることができる。【選択図】      図２
2007023639.tif 000002
【特許請求の範囲】
【請求項１】
下地材の外面側で互いに隣接する壁パネルの端部どうしを目地用空隙部を置いて対向するように前記目地用空隙部内に該目地用空隙部長手方向に沿うよう配される一対の長尺の目地ジョイナーで接続する壁パネルの接続構造において、
前記壁パネルは金属製の表面材と裏面材とで芯材をサンドイッチしてなり、かつ前記表面材の端部をその長手方向にわたって裏面材側に向かって折り返して前記芯材の端面を覆う折返し片を有しており、
前記一対の目地ジョイナーはそれぞれが前記下地材側に固定された基部と、この基部から前記各壁パネルの裏面側に向かって突出する突出壁部と、この突出壁部の突出端部に一体に形成され前記各壁パネルの裏面材に当接固定されたパネル支持壁部と、このパネル支持壁部の端部に一体に形成され、前記各壁パネルの折返し片が嵌合した嵌合溝を有する折返し片掴み部とを備えており、
前記一対の目地ジョイナーの相対向する前記折返し片掴み部どうし間から前記突出壁部どうし間にわたって目地が形成されていること特徴とする、壁パネルの接続構造。
【請求項２】
前記一対の目地ジョイナーの相対向する前記突出壁部どうし間の開口幅は前記折返し片掴み部どうし間の開口幅よりも広く形成されている、請求項1記載の壁パネルの接続構造。
【請求項３】
前記折返し片はこれの内面に前記芯材を僅かに付けたまま折り返されている、請求項１又は２記載の壁パネルの接続構造。
【請求項４】
前記折返し片が前記嵌合溝の内面にゴム系ボンドで接着されている、請求項１ないし３のいずれか１項に記載の壁パネルの接続構造。
【請求項５】
金属製の表面材と裏面材とで芯材をサンドイッチしてなる壁パネルの端部にその長手方向に沿うよう長尺の金属製の目地ジョイナーを接合する壁パネル端部への目地ジョイナーの接合方法において、
前記壁パネルの端部において前記裏面材の端部及び前記芯材の端部を切除して表面材端部を残存させ、
前記目地ジョイナーが前記壁パネルの裏面材に当接固定されるパネル支持壁部と、このパネル支持壁部に一体に形成され、前記表面材端部が嵌合し得る嵌合溝を有する折返し片掴み部とを備えており、
前記目地ジョイナーの前記嵌合溝を前記表面材端部に嵌合し、該目地ジョイナーを前記嵌合溝と表面材端部との嵌合部回りに前記パネル支持壁部が前記壁パネルの裏面材に近づいて当接する方向に回転させて前記表面材端部を壁パネルの裏面側に向かって折り曲げることを特徴とする、壁パネル端部への目地ジョイナーの接合方法。
【請求項６】
前記表面材端部はこれの内面に前記芯材を僅かに付けたまま残存させる、請求項５記載の壁パネル端部への目地ジョイナーの接合方法。
【発明の詳細な説明】
【技術分野】
【０００１】
本発明は、アルミニウムやチタン、ステンレス等の金属製板材の間にポリエチレン等の合成樹脂製芯材（又は合成樹脂に不燃性無機材を混入した芯材）をサンドイッチしたパネル材（以下、「金属・樹脂積層パネル」という。）からなる壁パネルの接続構造に関し、詳しくは、金属・樹脂積層パネルからなる壁パネルの端部どうしを目地用空隙部を置いて対向するよう一対の目地ジョイナーで接続する壁パネルの接続構造、および金属・樹脂積層パネルからなる壁パネルの端部に目地ジョイナーを接合する壁パネル端部への目地ジョイナーの接合方法に関する。
【背景技術】
【０００２】
従来、上記のような金属・樹脂積層パネルからなる壁パネルの接続構造として、例えば、図４や図５に示すように、下地材２０の外面側で互いに隣接する壁パネル２１，２１の端部どうしを目地用空隙部２２を置いて対向するよう目地用空隙部２２内に配される一対の目地ジョイナー２３，２３で接続するものは公知である。
図４に示す壁パネルの接続構造は、壁パネル２１が金属製の表面材２４と裏面材２５とで芯材２６をサンドイッチしてなり、各目地ジョイナー２３は下地材２０側に固定される基部２７と、この基部２７から各壁パネル２１の裏面側に向かって突出する突出壁部２８と、この突出壁部２８の突出端部に一体に形成されて各壁パネル２１の裏面材２５に当接固定されるパネル支持壁部２９とを備えている。そして、一対の目地ジョイナー２３，２３間の目地用空隙部２２内に目地シール材３０を充填し、この目地シール材３０を利用して壁パネル２１の端部２１ａ及び該端部に露出する芯材２６を覆うことにより外部からの雨水が壁パネル２１の端部２１ａに浸入するのを防止している。
【０００３】
図５に示す壁パネルの接続構造では、目地ジョイナー２３の突出壁部２８の突出端部２８ａを壁パネル２１の端部２１ａにまで突出させて、この突出端部２８ａで壁パネル２１の端部２１ａ及び該端部に露出する芯材２６を覆うことで外部からの雨水が壁パネル２１の端部２１ａに浸入するのを防止している。そして、目地シール材３０は壁パネル２１の端部２１ａに達する手前付近まで充填している。その他の構成、すなわち壁パネル２１の構成や目地ジョイナー２３が下地材２０側に固定される基部２７や壁パネル２１の裏面材２５に当接固定されるパネル支持壁部２９を備えていることは、図４に示すものと同様である。
【発明の開示】
【発明が解決しようとする課題】
【０００４】
しかるに、図４に示す従来例のような壁パネルの接続構造では、壁パネル２１の端部２１ａに露出する芯材２６を目地シール材３０で覆うため、目地の深さｄ１が浅くなり、隣接する壁パネル２１，２１どうしが視覚的に区別つきにくく、特に、壁パネル２１が同一平面上で多数枚並べて張られた壁面全体が平らで変化に乏しいものとなり、つまり、外壁面全体がのっぺりした変化に乏しいものとなる。
これに対し、図５に示す従来例のような壁パネルの接続構造によれば、目地シール材３０の充填は壁パネル２１の端部２１ａに達する手前付近までに止めて突出壁部２８，２８間の目地内に目地シール材３０を充填しない非充填空間を残しているので、目地の深さｄ２を深くすることができ、このため隣接する壁パネル２１，２１どうしが深目地により視覚的にはっきりと区別できて変化に富み、建物の個性を引き立てる。その反面、目地ジョイナー２３の突出壁部２８の突出端部２８ａが壁パネル２１の端部２１ａの表面側にまで突出しており、その突出端部２８ａが外から良く見えるため、この点で美観を損ねるという問題があった。
【０００５】
本発明は、このような問題を解決するためになされたものであり、その目的とするところは、上記のような金属・樹脂積層パネルからなる壁パネルの端部どうしを目地用空隙部を置いて対向するよう一対の目地ジョイナーで接続する壁パネルの接続構造において、美観を損ねることなく壁パネル端部のシール処理を可能にし、また隣接する壁パネルどうしを遠方からでも視覚的にはっきりと区別できる深目地の形成を可能にする壁パネルの接続構造を提供することにある。
また、本発明は、目地ジョイナーに壁パネルの端部を曲げる工具機能を兼備させることにより特別な曲げ加工機等を用いることなく又少ない作業工数で目地ジョイナーを壁パネルに簡単に接合できる壁パネル端部への目地ジョイナーの接合方法を提供することを目的とする。
【課題を解決するための手段】
【０００６】
本発明の壁パネルの接続構造は、下地材の外面側で互いに隣接する壁パネルの端部どうしを目地用空隙部を置いて対向するように前記目地用空隙部内に該目地用空隙部長手方向に沿うよう配される一対の長尺の目地ジョイナーで接続する壁パネルの接続構造において、前記壁パネルは金属製の表面材と裏面材とで芯材をサンドイッチしてなり、かつ前記表面材の端部をその長手方向にわたって裏面材側に向かって折り返して前記芯材の端面を覆う折返し片を有しており、前記一対の目地ジョイナーはそれぞれが前記下地材側に固定された基部と、この基部から前記各壁パネルの裏面側に向かって突出する突出壁部と、この突出壁部の突出端部に一体に形成されて前記各壁パネルの裏面材に当接固定されたパネル支持壁部と、このパネル支持壁部の端部に一体に形成され、前記各壁パネルの折返し片が嵌合した嵌合溝を有する折返し片掴み部とを備えており、前記一対の目地ジョイナーの相対向する前記折返し片掴み部どうし間から前記突出壁部どうし間にわたって目地が形成されていることに特徴を有するものである。
【０００７】
ひとつの好適な態様として、本発明による壁パネルの接続構造は、前記一対の目地ジョイナーの相対向する前記突出壁部どうし間の開口幅を前記折返し片掴み部どうし間の開口幅よりも広く形成することができる。また、前記折返し片はこれの内面に前記芯材を僅かに付けたまま折り返すことができる。さらに、前記折返し片は前記嵌合溝の内面にゴム系ボンドで接着することができる。
【０００８】
本発明の壁パネル端部への目地ジョイナーの接合方法は、金属製の表面材と裏面材とで芯材をサンドイッチしてなる壁パネルの端部にその長手方向に沿うよう金属製の長尺の目地ジョイナーを接合する壁パネル端部への目地ジョイナーの接合方法において、前記壁パネルの端部において裏面材の端部及び芯材の端部を切除して表面材端部を残存させ、前記目地ジョイナーが前記壁パネルの裏面材に当接固定されるパネル支持壁部と、このパネル支持壁部に一体に形成され、前記表面材端部が嵌合し得る嵌合溝を有する折返し片掴み部とを備えており、前記目地ジョイナーの前記嵌合溝を前記表面材端部に嵌合し、該目地ジョイナーを前記嵌合溝と表面材端部との嵌合部回りに前記パネル支持壁部が前記壁パネルの裏面材に近づいて当接する方向に回転させて前記表面材端部を壁パネルの裏面側に向かって折り曲げることに特徴を有するものである。
この場合において、前記表面材端部はこれの内面に前記芯材を僅かに付けたまま残存させることが好ましい。
【発明の効果】
【０００９】
本発明の壁パネルの接続構造によれば、壁パネルの表面材の端部をその長手方向にわたって裏面材側に向かって折り返した折返し片で芯材の端面を覆う一方、目地ジョイナーのパネル支持壁部の目地用空隙部に臨む端部に折返し片掴み部を一体に形成し、この折返し片掴み部に設けた嵌合溝に前記壁パネルの折返し片を嵌合するようにしてあるので、壁パネルの端部及び該端部に露出する芯材は折返し片及び折返し片掴み部により覆われてシールされることにより雨水が壁パネルの端部に浸入するのを防止できる。
したがって、目地用空隙部内に充填される目地シール材を利用して壁パネルの端部をシールするという図４のような目地納まり構造のように目地シール材を壁パネルの端部まで充填させなくて済み、目地深さを確保できる。深目地により隣接する壁パネルどうしを視覚的にはっきりと区別できて変化に富み、建物の個性を引き立てることができる。
【００１０】
しかも、壁パネルの裏面材側に向かって折り返される折返し片を目地ジョイナーの折返し片掴み部の嵌合溝に嵌合する壁パネルの端部シール形態によれば、目地ジョイナーの折返し片掴み部を壁パネルの表面側にまで出さずにその表面より内側に納めることができるので、外観的にも見映えの良い納まり状態が得られる。
【００１１】
一対の目地ジョイナーの相対向する突出壁部どうし間の開口幅は折返し片掴み部どうし間の開口幅よりも広く形成しておくと、突出壁部どうし間の内部空間を暗くすることができ、この突出壁部どうし間の内部空間の暗さと壁パネルの表面明るさとのコントラストにより彫りの深い目地ラインを出現できて隣接する壁パネルどうしを一段とはっきりと区別できるものとなる。
また、折返し片はこの内面に芯材を僅かに付けたまま折り返しておくと、その芯材により折返し片と嵌合溝との隙間がシールされるので、雨水が壁パネルの端部内へ浸入する防止効果を高めることができる。
折返し片は折返し片掴み部の嵌合溝の内面にゴム系ボンドで接着しておくと、当該箇所のシール効果を更に高めることができる。
【００１２】
本発明の壁パネル端部への目地ジョイナーの接合方法によれば、壁パネルの端部において裏面材及び芯材の厚み方向一部を切除して表面材端部を残存させ、目地ジョイナーの折返し片掴み部の嵌合溝を前記表面材端部に嵌合し、該目地ジョイナー部材を前記嵌合溝と表面材端部との嵌合部回りに前記パネル支持壁部が前記壁パネルの裏面材に近づいて当接する方向に回転させて前記表面材端部を壁パネルの裏面側に向かって折り曲げるようにしてあるので、目地ジョイナーは壁パネルの端部を曲げる工具機能をも発揮し、特別な曲げ加工機等を用いることなく又少ない工数で目地ジョイナーを壁パネルに接合できて有利である。
表面材端部はこれの内面に芯材を僅かに付けたまま残存させると、その芯材により表面材端部と嵌合溝との隙間がシールされるので、雨水が壁パネルの端部内へ浸入する防止効果を高めることができる。
【発明を実施するための最良の形態】
【００１３】
本発明の好適な実施形態を図面に基づき説明する。図１は本発明の一実施例を示す壁パネルの接続構造により接続された壁パネルの外観正面図、図２は図１におけるＡ−Ａ線拡大断面図、図３の（ａ）〜（ｃ）は本発明の方法により壁パネル端部に目地ジョイナーを接合する工程図である。
【００１４】
本発明に係る壁パネルの接続構造は、図１、図２に示すように、表面をフッ素樹脂塗装したアルミニウム板など金属製の表面材１と同じくアルミニウム板等金属製の裏面材２とでポリエチレン等樹脂単独又はポリエチレン等の樹脂に不燃無機材等を混入した芯材３をサンドイッチしてなる壁パネル４を対象とする。そして、この壁パネル４は表面材１の端部１ａをその長手方向にわたって裏面材２側に向かって折り返して芯材３の露出端面を覆う折返し片１ｂを有する形に形成している。このような表面材１の折返し片１ｂを有する形の壁パネル４は、例えば、壁パネル４の端部において裏面材２の端部及び芯材３の端部の厚み方向一部を溝切り加工で切除することにより芯材３の余肉部３ａが付着した表面材１の端部１ａを残存させ、この表面材端部１ａを裏面材２側に向かって折り曲げることにより形成される。
【００１５】
このような壁パネル４は、図２に示すように、多数枚が建物躯体側の下地材５の外面側において互いに端部４ａ，４ａどうしを目地用空隙部６を置いて対向するように目地用空隙部６内に該目地用空隙部長手方向に沿うよう配される一対の金属製の長尺の目地ジョイナー７，７で接続される。
【００１６】
図２に示すように、一対の目地ジョイナー７，７はそれぞれがアルミニウム押出型材等の通し材からなり、下地材５側にセルフドリリングビス等止具８で固定される基部９と、この基部９から各壁パネル４の裏面側に向かって一体に突出する突出壁部１０と、この突出壁部１０の突出端部に直交状に一体に形成されて各壁パネル４の裏面材２に当接しリベット等止具１１で固定されるパネル支持壁部１２と、このパネル支持壁部１２の目地用空隙部６に臨む端部に一体に形成され、各壁パネル４の折返し片１ｂが嵌合する嵌合溝１３を有する断面二股形状の折返し片掴み部１４とを備える。なお、図示例では一対の目地ジョイナー７，７が互いに対称形状に形成されるが、一方の目地ジョイナー７の基部９の断面形状ともう一方の目地ジョイナー７のそれとは異なることもあるため、必ずしも、一対の目地ジョイナー７，７が互いに対称形状に形成されるとは限られるものではない。
【００１７】
一対の目地ジョイナー７，７はそれぞれの基部９を下地材５にセルフドリリングビス等止具８で固定し、かつ、パネル支持壁部１２を壁パネル４の裏面材２に当接させてリベット等止具１１で固定するとともに、折返し片掴み部１４の嵌合溝１３を壁パネル４の折返し片１ｂに嵌合することにより、隣接する壁パネル４，４の端部どうしを目地用空隙部６を置いて対向するよう接続することができるとともに、一対の目地ジョイナー７，７の相対向する折返し片掴み部１４，１４どうし間から突出壁部１０，１０どうし間にわたって目地１６を形成することができる。目地１６は相対向する折返し片掴み部１４，１４どうし間の開口幅ｗよりも相対向する突出壁部１０，１０どうし間の開口幅Ｗを大きくすることで断面Ｔ形状に形成している。
【００１８】
上記のように折返し片掴み部１４の嵌合溝１３に壁パネル４の折返し片１ｂを嵌合することにより、壁パネル４の端部及び該端部に露出する芯材３は折返し片１ｂ及び折返し片掴み部１４により覆われてシールされ、外部からの雨水が壁パネル４の端部に浸入するのを防止できる。また、折返し片掴み部１４の嵌合溝１３に壁パネル４の折返し片１ｂを嵌合させることにより壁パネル４が目地ジョイナー７からの外れ防止機能をも発揮できる。
【００１９】
折返し片１ｂはこの内面に芯材３を僅かに付けたまま折り返しておくと、その芯材３により折返し片１ｂと嵌合溝１３との隙間がシールされるので、雨水が壁パネル４の端部内へ浸入する防止効果を高めることができる。更に、当該箇所のシール効果を高めるには、予め折返し片１ｂにゴム系ボンド（図示せず）を塗布し、折返し片１ｂを嵌合溝１３に嵌合することで折返し片１ｂと嵌合溝１３の内面とが前記ゴム系ボンドで接着するようにすればよい。この場合、折返し片掴み部１４と壁パネル４の端面との間に隙間Ｓが形成されるように構成して、その隙間Ｓにゴム系ボンド１５が溜まるようにすることもでき、これにより接着力を増すことができる。
【００２０】
目地１６内には外部からの雨水が建物の内部に浸入するのを防止するために変成シリコーン等の目地シール材１７が充填される。この場合、前述のとおり壁パネル４の端部は折返し片１ｂ及び折返し片掴み部１４により覆われてシールされているので、目地シール材１７は、従来の図４のような目地納まり構造のように壁パネル４の端部まで略一杯に充填させなくて済み、目地ジョイナー７，７の基部９，９および突出壁部１０，１０で囲まれる目地１６内に目地シール材１７の充填されない非充填空間ｔが残存する程度に充填することで足りる。このように非充填空間ｔが残存させることにより彫りの深い目地１６の形成を可能にし、隣接する壁パネル４，４どうしを視覚的にはっきりと区別できて変化に富み、建物の個性を引き立てることができる。
【００２１】
また、目地１６は相対向する折返し片掴み部１４，１４どうし間の開口幅ｗよりも相対向する突出壁部１０，１０どうし間の開口幅Ｗを大きくすることで断面Ｔ形状に形成することにより、図５に示す従来の目地ジョイナー２３，２３のごとき突出壁部２８，２８どうし間の開口幅を突出端部２８ａ，２８ａどうし間の開口幅とほぼ同じにする目地の断面形状に比べて、突出壁部１０，１０間の内部空間を暗くすることができ、この突出壁部１０，１０間の内部空間の暗さと壁パネル４の表面明るさとのコントラストにより、更に彫りの深い目地ラインを出現できて隣接する壁パネル４，４どうしを一段とはっきりと区別できるものとなる。
【００２２】
さらに、壁パネル４の裏面材２側に向かって折り返される折返し片１ｂを目地ジョイナー７の折返し片掴み部１４の嵌合溝１３に嵌合するという壁パネル４の端部シール形態を採用することにより、目地ジョイナー７の折返し片掴み部１４の先端部を壁パネル４の表面側にまで出さずにその表面より内側に納めることができるので、外観的にも見映えの良い納まり状態が得られる。
【００２３】
次に、本発明の壁パネル端部への目地ジョイナーの接合方法の一実施例について図３（ａ）〜（ｃ）を参照して説明する。
まず、図３（ａ）に示すように、上記実施例の場合における壁パネル４の断面構造と同様に金属製の表面材１と裏面材２とで芯材３をサンドイッチしてなる壁パネル４の端部において、裏面材２の端部２ｂ及び芯材３の端部３ｂの厚み方向一部を溝切り加工等で切除することにより、芯材３の余肉部３ａが付着した表面材端部１ａを残存させる。
次いで、上記実施例の場合の目地ジョイナー７と同様に、下地材５側に固定される基部９と、この基部９から一体に突出する突出壁部１０と、この突出壁部１０の突出端部に直交状に一体に形成されて壁パネル４の裏面材２に当接固定されるパネル支持壁部１２と、このパネル支持壁部１２に一体に形成され、表面材端部１ａが嵌合し得る嵌合溝１３を有する折返し片掴み部１４とを備えた金属製の目地ジョイナー７を用意する。かくして、同図（ｂ）のように、目地ジョイナー７の嵌合溝１３を壁パネル４の表面材端部１ａに嵌合する。
次いで、目地ジョイナー７を嵌合溝１３と表面材端部１ａとの嵌合部回りにパネル支持壁部１２が壁パネル４の裏面材２に近づいて当接する方向（矢印Ｂ方向）に回転させることにより、同図（ｃ）のように、表面材端部１ａを壁パネル４の裏面側に向かって折り曲げる。
これにより目地ジョイナー７は表面材端部１ａを折曲すると同時に壁パネル４の端部にその長手方向に沿うよう接合することができる。
【００２４】
しかるときは、目地ジョイナー７は壁パネル４の端部４ａを下地材５に接続固定する機能のほかに壁パネル４の表面材端部１ａを曲げる工具機能をも発揮するため、特別な曲げ加工機等を用いることなく又少ない工数で目地ジョイナー７を壁パネル４の端部４ａに簡単に接合することができる。
なお、表面材端部１ａはこれの内面に芯材３の余肉部３ａを僅かに付けたまま残存させることが、その芯材３により表面材端部１ａと嵌合溝１３との隙間をシールすることができるので、雨水が壁パネル４の端部４ａ内へ浸入する防止効果を高めることができて有利であるが、壁パネル４の端部において裏面材２の端部及び芯材３の端部を切除して表面材端部１ａは芯材３を付けないまま残存させることもできる。
【００２５】
なお、壁パネル４の接続構造の上記実施例において、壁パネル４の表面材端部１ａを裏面材２側に向かって折り返して折返し片１ｂを形成する手段としては、上記壁パネル端部への目地ジョイナーの接合方法の実施例の場合と同様に目地ジョイナー７で表面材端部１ａを折り曲げて折返し片１ｂを形成する方法を適用できることは言うまでもない。
【図面の簡単な説明】
【００２６】
【図１】本発明の一実施例を示す壁パネルの接続構造により接続された壁パネルの外観正面図である。
【図２】図１におけるＡ−Ａ線拡大断面図である。
【図３】（ａ）〜（ｃ）は本発明の方法により壁パネル端部に目地ジョイナーを接合する工程図である。
【図４】従来例の壁パネルの接続構造を示す断面図である。
【図５】他の従来例の壁パネルの接続構造を示す断面図である。
【符号の説明】
【００２７】
１  表面材
１ａ  表面材の端部
１ｂ  折返し片
２  裏面材
３  芯材
３ａ  余肉部
４  壁パネル
４ａ  壁パネルの端部
５  下地材
６  目地用空隙部
７  目地ジョイナー
９  基部
１０  突出壁部
１２  パネル支持壁部
１３  嵌合溝
１４  折返し片掴み部
１５  ゴム系ボンド
１６  目地
１７  目地シール材
【図１】
2007023639.tif 000003
【図２】
2007023639.tif 000004
【図３】
2007023639.tif 000005
【図４】
2007023639.tif 000006
【図５】
2007023639.tif 000007